(57)【要約】【課題】螺旋階段と昇降機を組み合わせた装置で、平素は昇降機が利用できる装置にする。【解決手段】昇降機が昇降するための通路を確保するために、通路と成るための位置にある螺旋階段の一部分を通路に支障のない反対側に回動さして昇降機の通路を確保する。【選択図】図２
2005187206.tif 000002
【特許請求の範囲】
【請求項１】
支柱７等に固定された螺旋階段２で、螺旋階段２を形成した所を昇降機６が昇降する通路３６とするため、螺旋階段の一部分１０を、その位置より反対側３５の位置に回動さして昇降機６が昇降できる通路３６を確保することを特徴とする螺旋階段と昇降機を組み合わせた装置。
【請求項２】
昇降機６が昇降する通路３６となる螺旋階段を形成する一部分１０は、支柱７に嵌合した回動自在にできるパイプ状材８に組み付け、パイプ状材８の上部にウオームギヤー等を噛み合わせ、このウオームギヤー等の駆動装置１４は支柱７に組み付けて固定し、この駆動装置１４で螺旋階段の一部分１０を必要な方向に回動することを特徴とする螺旋階段と昇降機を組み合わせた装置。
【請求項３】
螺旋階段２と昇降機６を組み合わせた装置を、適宜な材質で形成した方形状壁５で囲み、この一角内に昇降機６が所定の軌道位置を昇降できるように立ち上げたガイド支柱９を備え、このガイド支柱９に接した二辺の方形状壁に開閉式のドアー３３をそれぞれに取り付けて出入り口２１にできるようにし、方形状壁の一角内にはガイド支柱９を備えたことを特徴とする螺旋階段と昇降機を組み合わせた装置。
【請求項４】
螺旋階段２を適宜な材質で形成した方形状壁５で囲み、この方形状壁５の適所に出入り口２１を設け、階段用の手摺２６を内壁面３４に取り付け、螺旋階段２の外辺１８を内壁面３４に組み付けて方形状壁５で螺旋階段２を構成したことを特徴とする螺旋階段。
【請求項５】
方形状壁５で囲む二辺に設けた開閉式のドアー３３に合わせた位置に、この開閉式のドアー３３巾より狭い巾で外に開く外開きドアー２９を昇降機６に組み付け、この外開きドアー２９の蝶番３０は、開閉式のドアー３３が開いた状態のとき支障なく外開きできる位置に設けて二重のドアーを構成したことを特徴とする昇降機のドアー。
【請求項６】
昇降機６の背面で昇り側の階段４に接した位置を階段への出入り口１６にし、この下の床面に、数段の階段を形成した階段継台１７を取り外しの出来るようにして設置したことを特徴とする螺旋階段と昇降機を組み合わせた装置。
【請求項７】
昇降機６の床面に設置した階段継台１７上部の天板１９に上方に押し上げられるハッチ２０を設けたことを特徴とする螺旋階段と昇降機を組み合わせた装置。
【請求項８】
上階の床と同じ高さになる螺旋階段の半円形状踊場１３を、階段として使用するために所定の位置に復帰したときに床面との間に生じる隙間を塞ぐために隙間蓋い板２２で塞ぐことを特徴とする螺旋階段と昇降機を組み合わせた装置。
【請求項９】
昇降機６の天板１９の両翼端に、隙間蓋い板２２を跳ね上げる押し上げローラー３１を設け、又昇降機両翼で出入り口壁面を転動する隙間保持ローラー３２設けたことを特徴とする螺旋階段と昇降機を組み合わせた装置。
【発明の詳細な説明】
【技術分野】
【０００１】  本発明は、螺旋階段と昇降機を組み合わせた装置で、昇降機が昇降するときは、螺旋階段の一部分を半回転回して昇降機が昇降する通り道を開ける装置に関するものである。
【背景技術】
【０００２】  螺旋階段の本体をそのまま昇降さしながらそのＩピッチ間を１回転さす装置が考案されている、又螺旋階段に沿ってガイドレールを設けこれに昇降台を組み合わせてこれで人を昇降さす装置もある、又螺旋階段を回転さしてその螺旋の勾配を利用して昇降機を昇降さす装置も見受けられる。
【特許文献】特開０５−０００７８６
【特許文献】実開０７−０１３８７３
【特許文献】特願２００２−１８６９０５
【発明の開示】
【発明が解決しようとする課題】
【０００３】  解決しようとする問題点は、住宅事情から昇降する設備を縮小する為に螺旋階段を利用し、これに動力装置を仕掛けて楽に昇降しようとする目的のために大掛かりな装置、又は複雑な機構が必要で、昇降機だけを設置するより難儀な点である。
【課題を解決するための手段】
【０００４】  本発明は、螺旋階段と昇降機を組み合わせてあるが、昇降機を利用するときは、螺旋階段の機能を封止し、昇降機は従来の公知の技術で昇降さすことを特徴とする。
【発明の効果】
【０００５】  本発明で、昇降機を利用するときは、従来の技術が利用でき信頼のできる安全な装置として利用できる。
【発明を実施するための最良の形態】
【０００６】  螺旋階段を利用するときは従来のように利用できるが、昇降機を利用するときは昇降機が昇降できる通路を確保するため、通路に必要とする部分の螺旋階段の一部分を通路に支障のない所に移動させて昇降機の通路を確保すればよい。
【実施例１】
【０００７】  図１は、本発明の１実施例の平面図であって、従来の仕組みで組み立てた螺旋階段２を適宜な材質で形成した方形状壁５で囲み、この方形状の一角内の隙間に、昇降機６が所定の軌道位置を昇降できるように所要の高さまでガイド支柱９を備え、このガイド支柱９の上端部で昇降機６を昇降さす装置を備えておく。【０００８】  図２は、図１の背面の矢印の方向から見た斜視図で、昇降機６は一階に留まって螺旋階段として利用する状態で、階段の１段１から３段目３の初期の階段を昇降機６内に設ける理由は、固定された螺旋階段２の８段数の踏面だけでは上階まで昇れる高さが得られないから補足するためで、そこで昇降機６内で取り外し可能な階段継台１７を、固定された螺旋階段の４段目４の階段に接した昇降機背面の出入り口１６に接続するように設置し、螺旋階段の４段目４から上段の１１段目１１の階段までは支柱７、または方形状壁５の内壁面１５に螺旋階段の外辺１８を組み付けて固定し、１２段目１２の階段とその上で上階の床面の高さに揃えた半円形状踊場１３は、支柱７に嵌合し回動自在にしたパイプ状材８に組み付けて一体化して螺旋階段２の機能を整え。昇降機背面の出入り口１６で出入りする人の頭部が昇降機の天板１９に触れないようにハッチ２０を上方に押し上げられるようにしておく。【０００９】  １２段目の階段１２と半円形状踊場１３をパイプ状材８に組み付けて一体化し、この螺旋階段の一部分１０は昇降機６が昇降する通路３６の占有部分でこの螺旋階段の一部分１０を昇降機の通路３６に開放するためには、螺旋階段の一部分と一体化したパイプ状材８の上部にウオームギヤー等を噛み合わせ、このウオームギヤー等の駆動装置１４は支柱７に組み付けて固定し、この駆動装置１４で螺旋階段の一部分１０を反対側３５の所定の位置まで回動し昇降機６の通路３６を確保する。そしてこの駆動装置１４を設置する高さ位置は、人が螺旋階段を利用するときに人が触れない高さ位置に設置することが好ましい。【００１０】  次に、螺旋階段として使用するときは、方形状壁の出入り口２１の床面と半円形状踊場１３とで生じた隙間を塞ぐ隙間蓋い板２２基部に取り付ける蝶番２３の位置は、この隙間蓋い板２２を跳ね上げたときにその先の壁面に倒れ掛かった状態になるような位置に蝶番２３を設け。又支えピン２４はこの隙間蓋い板を元に戻したときには支え保持するピンにしておく。【００１１】  半円形状踊場１３から階段に向かって降りる側より反対側の半円形状踊場の縁で、昇降機の昇降にも支障のない位置に転落防止用柵２５を設け、この柵の両端は支柱７と方形状壁５に固着し、また螺旋階段２の部位には方形状壁５の内壁面１５に階段用の手摺２６を取付けておき、螺旋階段の一部分１０が回動するのに支障のあるところは手摺を控えておく。【００１２】  図３は、昇降機６が上階に達した平面図で、昇降機６の通路３６を確保するため螺旋階段の一部分１０を反対側３５の所定の位置に回動さして固定した螺旋階段の上に重なり合う状態にして螺旋階段２の使用ができないようになる。【００１３】  尚、二階以上の階層のある家屋にこの装置を設置したときは、二階から上の階層の踊場１３にも階段継台１７を装着する必要があり、昇降機６を���用する通路３６を確保するためには踊場１３上の階段継台１７を取り外すか、それを装着したまま螺旋階段の一部分１０を所定の位置の方向に回動さすことが可能である。【００１４】  次に、螺旋階段２と昇降機６を組み合わせた装置を適宜な材質で形成した方形状壁５で囲み、この方形状壁５の一角内に設けたガイド支柱９に接する方形状壁５の二辺に出入り口２１を設け、これに引き戸式、または開閉式のドアー３３をそれぞれに取付け、この方形状壁で出来た出入り口２１に合わすように昇降機６のガイド支柱９に接する面２７を真中にしてその横の二辺も昇降機６の出入り口２８にし、これに外開きドアー２９をそれぞれに取り付け、この出入り口の外開きドアーの蝶番３０は、囲み壁の出入り口２１には支障なく外開きできるように狭くなる位置に蝶番３０を設けておく。【００１５】  このように、方形状壁の一角内にガイド支柱９を設けたことにより、この面に接した昇降機６側の内面２７には操作盤を設置することができ、また出入り口が二か所に設けられることから、この装置を設置した家屋によっては通路として利用でき、また車椅子等で昇降機内に進入し、次に所望の階に達するとその向きのまま進み出ることが出来る。【００１６】  昇降機６の天板１９の両翼端上面に押し上げローラー３１をそれぞれに設け、昇降機６が上昇中に押し上げローラー３１が隙間を塞いでいた隙間蓋い板２２を跳ね上げて昇降機６の通路３６を開き通路３６を確保する。【００１７】  方形状壁の出入り口２１の内壁面３４に沿った側の昇降機６の両翼端に、出入り口内壁面３４側を転動する隙間保持ローラー３２を設け、この隙間保持ローラー３２で家屋側の床面の出入り口２１、昇降機６側の出入り口２８との隙間を正確に保つようにしておく。【００１８】  以上で、本発明の装置で昇降し、また出入り口を開閉する装置は昇降機またはエレベーターの分野の業界では公知の技術であり省略する。
【図面の簡単な説明】
【００１９】
【図１】螺旋階段と昇降機を組み合わせた装置の二階から螺旋階段を使用する状態で、ドアーは踊場を通路として使用できるように開放した状態の平面図である。
【図２】図１の背面の矢印の方向から見た斜視図である。
【図３】昇降機の通路を確保するため、螺旋階段の一部分を反対側の所定の位置に回動し、昇降機が上昇し上階に留まった状態で昇降機内を通路としてドアーを開放した平面図である。
【図４】図３の背面の矢印の方向から見た斜視図である。
【符号の説明】
【００２０】  ２    螺旋階段
５    方形状壁
６    昇降機
７    支柱
８    パイプ状材
９    ガイド支柱
１０    螺旋階段の一部分
１３    半円形状踊場
１４    駆動装置
１６    昇降機背面の出入り口
１７    階段次代
１９    天板
２０    ハッチ
２２    隙間蓋い板
２３    蝶番
２４    支えピン
２５    転落防止用柵
２６    手摺
２８    昇降機の出入り口
３０    ドアーの蝶番
３１    押し上げローラー
３２    隙間保持ローラー
【図１】
2005187206.tif 000003
【図２】
2005187206.tif 000004
【図３】
2005187206.tif 000005
【図４】
2005187206.tif 000006